(57)【要約】【課題】フリーアクセスフロアを構成する床パネルに開けた開口部内に、簡単な操作でスムーズにフロアボックスを取付けることができる床パネルに対するフロアボックスの固定方法及び固定装置を提供する。【解決手段】ボックス本体５の上面に取付けてある蓋体６のフランジ部７が床パネル１に形成した開口部３の上部周縁に当接するようにしてボックス本体５を開口部内に落とし込む。ボックス本体５の対向位置する二つの周壁８に形成してある窓孔９に締付固定板２０を保持するためのホルダー１０を取付ける。ホルダー１０に取付けてある締付用の長螺子２７を螺進させることによって、締付固定板の先端係合部２６を、その基端部２２を中心にして円を描くように上昇させ、床パネル１に形成した開口部３の下部周縁に緊着させる。【選択図】図２
2011101476.tif 000002
【特許請求の範囲】
【請求項１】
フリーアクセス用の床パネルに形成した開口部に取付けるフロアボックスを当該開口部の周縁部に固定する方法において、ボックス本体の上面に取付けてある蓋体のフランジ部が前記床パネルに形成した開口部の上部周縁に当接するようにしてボックス本体を開口部内に落とし込む第一のステップと、この第一のステップの終了後、ボックス本体の対向位置する二つの周壁にそれぞれ形成してある窓孔に、締付固定板を保持するためのホルダーを取付ける第二のステップと、この第二のステップの終了後、ホルダーに取付けてある締付用の長螺子を螺進させることによって、ホルダーに保持されている締付固定板の先端係合部を、その基端部を中心にして円を描くように上昇させ、前記締付固定板の先端係合部を、前記床パネルに形成した開口部の下部周縁に緊着させる第三のステップを含むことを特徴とする床パネルに対するフロアボックスの固定方法。
【請求項２】
フリーアクセス用の床パネルに形成した開口部に落とし込める大きさ及び形状を有する上面開口のボックス本体と、このボックス本体の上面に取付けて前記床パネルに開けた開口部の上部周縁に当接係止させるフランジ部を具備した蓋体と、前記ボックス本体の対向位置する二つの周壁にそれぞれ形成してある窓孔に、斜行状をなすように取付けるホルダーと、このホルダーに形成してある上部枠および下部突片にそれぞれ穿設してある二つの挿通孔によって位置決めされ且つ案内される長螺子と、この長螺子の軸線方向と直交する方向に前記ホルダーに形成した長孔内を挿通させると共に、その基端部がホルダーに形成した保持凹部によって保持され且つ前記長螺子を挿通させる通孔を穿設してある締付固定板と、この締付固定板と、ホルダーの前記下部突片の間に位置させると共に、前記長螺子の螺子溝に螺合する螺子孔を形成した締付固定板を上下動させる作動プレートとを有することを特徴とする床パネルに対するフロアボックスの固定装置。
【請求項３】
ボックス本体の周壁にケーブルの挿通孔を開設してあることを特徴とする請求項２に記載のフロアボックスの固定装置。
【請求項４】
ボックス本体の周壁に形成した窓孔に、斜行状をなすように取付けるホルダーには、当該窓孔の下側の端面に係合させる係合凹部を形成してあり、且つその上部枠の左右二箇所に通孔を穿設すると共に、ボックス本体の窓孔上部の周壁に、前記通孔に合致する螺子穴を設けた取付突片を突成し、当該取付突片の螺子穴とホルダーの上部枠に形成した通孔を合致させて小螺子により固定できるようになっていることを特徴とする請求項２又は請求項３に記載のフロアボックスの固定装置。
【発明の詳細な説明】
【技術分野】
【０００１】
本発明は、フリーアクセスフロアを形成する床パネルに開けた開口部内にフロアボックスを固定するための床パネルに対するフロアボックスの固定方法及び固定装置に関するものである。
【背景技術】
【０００２】
フロア配線を効率良く行うため、フリーアクセス用の床パネルに開けた開口部内にフロアボックスを固定し、当該フロアボックス内に光配線や電源等の接続器具類を配設することが行われている。
【０００３】
床パネルの開口部に取付けるフロアボックスは当然ながら堅固な状態で床パネルに固定されなければならない。従来は、特許文献１に示されているように、電線挿通孔を有する函体の両側板の上端縁に支持用折曲耳片を設け、当該両側板に締付固定板挿通孔を設けると共に、両側板の内面上方に、締付ボルト挿通孔を有する締付板を設け、先端を挟持先端部に形成し後部のＴ形部に螺子孔を設けた締付固定板を前記締付固定板挿通孔に挿通し、前記締付板の締付ボルト挿通孔に挿通した締付ボルトを締付固定板のＴ形部の螺子孔に螺合して締付固定板の挟持先端部を垂直状に上昇させて床パネルの下面に当接させ函体を固定するようにしていた。
【０００４】
また、これ以外にも、特許文献２に示されているように、ボックス本体の底板と周壁の間に補助プレートを架設固定し、補助プレートに形成した切欠部内に、クランプ金具の下端折曲片を挿通させると共に、ボックス本体の周壁に形成した窓孔内にクランプ金具の上端折曲片を挿通させ、補助プレートの上から締付ねじの先端部をクランプ金具の下端折曲片にねじ付けてクランプ金具を垂直状に上昇させクランプ金具の上端折曲片を床パネルの裏側に当接させてフロアボックスを固定する方法も行われていた。
【先行技術文献】
【特許文献】
【０００５】
【特許文献１】実開平１−１７１５１９公報
【特許文献２】実開平６−３６３２２公報
【発明の概要】
【発明が解決しようとする課題】
【０００６】
上記した従来技術においては、いずれも締付ボルト乃至締付ねじをねじ込むことにより締付固定板乃至クランプ金具を垂直方向に上昇させ締付固定板乃至クランプ金具の先端部を床パネルの裏側に当接させてフロアボックスを固定するものであった。
【０００７】
このように、従来の固定方法によると、締付固定板乃至クランプ金具は締付ボルト乃至締付ねじの回転に応じて垂直方向に上昇するものであるため、ボルト乃至ねじの回転操作の割には上昇速度が遅く、作業性が甚だ悪いという問題点があった。
【０００８】
また、締付ボルト乃至締付ねじの回転操作はボックス本体の上面に固定してある蓋体を開けて行うという性格上、作業スペースが極めて狭隘であり、厄介な作業のため締付ボルト乃至締付ねじを最後まで螺進させずに作業を終えてしまうようなことも少なからずあった。そのため、経時的に締付ボルト乃至締付ねじが緩んでフロアボックスの安定性が阻害されるという問題点があった。
【０００９】
そこで、本発明は前記した従来のフロアボックスの固定方法及び固定装置の問題点をなくし、ボックス本体の上面に取付けてある蓋体のフランジ部と協働して床パネルに固定するための締付固定板の先端係合部を、その基端部を中心にして円を描くように上昇させ、長螺子の回転操作によってスムーズに締付固定板の先端係合部を床パネルの裏側に当接係止させることができるようにすると共に、長螺子の回転操作をボックス本体の上面より斜め方向から行えるようにして狭隘な作業スペースでも楽に長螺子の回転を行えるようにした床パネルに対するフロアボックスの固定方法及び固定装置を提供することを目的とするものである。
【課題を解決するための手段】
【００１０】
上記目的を達成するための本発明の構成を詳述すれば、請求項１に係る発明は、フリーアクセス用の床パネルに形成した開口部に取付けるフロアボックスを当該開口部の周縁部に固定する方法において、ボックス本体の上面に取付けてある蓋体のフランジ部が前記床パネルに形成した開口部の上部周縁に当接するようにしてボックス本体を開口部内に落とし込む第一のステップと、この第一のステップの終了後、ボックス本体の対向位置する二つの周壁にそれぞれ形成してある窓孔に、締付固定板を保持するためのホルダーを取付ける第二のステップと、この第二のステップの終了後、ホルダーに取付けてある締付用の長螺子を螺進させることによって、ホルダーに保持されている締付固定板の先端係合部を、その基端部を中心にして円を描くように上昇させ、前記締付固定板の先端係合部を、前記床パネルに形成した開口部の下部周縁に緊着させる第三のステップを含むことを特徴とする床パネルに対するフロアボックスの固定方法である。
【００１１】
請求項２に係る発明は、フリーアクセス用の床パネルに形成した開口部に落とし込める大きさ及び形状を有する上面開口のボックス本体と、このボックス本体の上面に取付けて前記床パネルに開けた開口部の上部周縁に当接係止させるフランジ部を具備した蓋体と、前記ボックス本体の対向位置する二つの周壁にそれぞれ形成してある窓孔に、斜行状をなすように取付けるホルダーと、このホルダーに形成してある上部枠および下部突片にそれぞれ穿設してある二つの挿通孔によって位置決めされ且つ案内される長螺子と、この長螺子の軸線方向と直交する方向に前記ホルダーに形成した長孔内を挿通させると共に、その基端部がホルダーに形成した保持凹部によって保持され且つ前記長螺子を挿通させる通孔を穿設してある締付固定板と、この締付固定板と、ホルダーの前記下部突片の間に位置させると共に、前記長螺子の螺子溝に螺合する螺子孔を形成した締付固定板を上下動させる作動プレートとを有することを特徴とする床パネルに対するフロアボックスの固定装置である。
【００１２】
また、請求項３に係る発明は、ボックス本体の周壁にケーブルの挿通孔を開設してあることを特徴とする請求項２に記載のフロアボックスの固定装置である。
【００１３】
さらに、請求項４に係る発明は、ボックス本体の周壁に形成した窓孔に、斜行状をなすように取付けるホルダーには、当該窓孔の下側の端面に係合させる係合凹部を形成してあり、且つその上部枠の左右二箇所に通孔を穿設すると共に、ボックス本体の窓孔上部の周壁に、前記通孔に合致する螺子穴を設けた取付突片を突成し、当該取付突片の螺子穴とホルダーの上部枠に形成した通孔を合致させて小螺子により固定できるようになっていることを特徴とする請求項２又は請求項３に記載のフロアボックスの固定装置である。
【発明の効果】
【００１４】
本発明フロアボックスの固定方法及び装置によれば、汎用のドライバーによって長螺子の頭を回転させると、長螺子の螺軸が作動プレートの螺子孔内を螺進し、その上面に位置する締付固定が強制的に押し上げられ、これに伴って締付固定板の先端係合部は、その基端部を中心にして円を描くように上昇して、床パネルに形成した開口部の下部周縁に緊着する。このように、床パネルに当接係止される締付固定板の先端係合部は円運動するものであるため、長螺子の回転数の割には上昇幅が大きく、スムーズにフロアボックスを床パネルに固定することができるようになる。
【００１５】
また、締付固定板を保持するホルダーは、ボックス本体の周壁に形成してある窓孔に斜行状をなすように取付けてあるのでホルダーの上部枠も斜面状となっており、当該上部枠の表面に位置する長螺子の頭を斜め方向から回転させることができるので狭隘なスペースでも作業を円滑に行うことが可能となる。
【図面の簡単な説明】
【００１６】
【図１】本発明に係る固定装置を具備したフロアボックスの一例を示す平面図である。
【図２】図１のＡ−Ａ線に沿った使用状態の一例を示す断面図である。
【図３】ボックス本体の一実施形態を示す斜視図である。
【図４】固定装置の分解状態斜視図である。
【図５】固定装置をなすホルダーの平面図である。
【図６】図５のＢ−Ｂ線に沿った拡大断面図である。
【図７】締付固定板を緩めたときの使用状態参考図である。
【図８】長螺子を螺進させて締付固定板の先端係合部を床パネルの裏側に固着させたときの使用状態参考図である。
【発明を実施するための形態】
【００１７】
以下、本発明の一実施形態を図面に基づき詳細に説明する。
【００１８】
図中１は床下スラブ２の上方に設置したフリーアクセス用の床パネルであり、当該床パネル１の所定箇所には所定大きさ・形状の開口部３が形成されている。４は当該開口部３に取付けるボックス本体５と蓋体６から構成されるフロアボックスの全体を示す。
【００１９】
ボックス本体５の上面に取付ける蓋体６の周縁には鍔状のフランジ部７が形成されており、床パネル１に開けた開口部３内にボックス本体５を落とし込むと、フランジ部７が開口部３の上部周縁に当接係止されるようになっている。
【００２０】
ボックス本体５の対向位置する二つの周壁８，８には、後述するホルダー１０，１０を取付けるための窓孔９，９を形成してある。なお、ボックス本体５における窓孔９，９の形成されていない方の対向位置する周壁にはケーブル類をボックス本体５内に引き込むための挿通孔１１，１１を形成してある。
【００２１】
ボックス本体５の上面に固定される蓋体６には、ボタン１２をスライドさせることによって開閉する内蓋１３が設けられていると共に、内蓋１３を閉じた状態でもケーブル類を引き出すことができる通線チップ１４，１４が、内蓋１３の開放される側の先端縁に設けられている。
【００２２】
ボックス本体５に形成した窓孔９に取付ける固定装置のベースともなるホルダー１０は、図４乃至図６に示すように上部枠１５と下部突片１６を有しており、当該上部枠１５と下部突片１６には同一位置に、後述する長螺子の螺軸を挿通させるための挿通孔１７Ａ，１７Ｂをそれぞれ穿設してある。この挿通孔１７Ａ，１７Ｂは長螺子の位置決めと螺軸の案内が目的であって長螺子の螺軸に螺合する雌螺子は何ら形成されていない。
【００２３】
また、ホルダー１０にはボックス本体５に開設した窓孔９の下側の端面１８に係合させる係合凹部１９を形成してある。なお、当該係合凹部１９は、ホルダー１０を窓孔９にセットしたとき、ホルダー１０が図示するように斜行状となるような位置に形成してある。
【００２４】
ボックス本体５の周壁８に形成した窓孔９に斜行状をなすように取付けるホルダー１０の主要な目的は、締付固定板２０を安定した状態で保持することであり、そのためホルダー１０には締付固定板２０の胴体部を挿通させるための長孔２１を設けてあると共に、締付固定板２０の基端部２２の両端に設けてある突部を保持するための保持凹部２３，２３を形成してある。
【００２５】
前記したように、ホルダー１０は、その係合凹部１９をボックス本体５における窓孔９の下側端面１８に係合させることによって当該窓孔９にセットされるものであるが、当該セット状態を堅固なものとするため、ボックス本体５の窓孔９の上部周壁内側に螺子穴を設けた取付突片２４を所定間隔を存して２個突成し、ホルダー１０の上部枠１５に穿設した通孔２５，２５を介して小螺子を取付突片２４の螺子穴内にねじ付けて窓孔９からホルダー１０が外れないようにしてある。
【００２６】
ホルダー１０によって保持される締付固定板２０は、ホルダー１０内において、その基端部２２を中心にして回動できるようになっており、ホルダー１０の長孔２１を貫通してホルダー１０の外側に突出した先端係合部２６は、基端部２２が回動することによって円を描くようにして上下動できるようになっている。
【００２７】
ホルダー１０の先端係合部２６を、円を描くように上下動させる駆動元となるのはホルダー１０の上部枠１５および下部突片１６に穿設してある挿通孔１７Ａ，１７Ｂによって位置決めされ且つ案内される長螺子２７と、この長螺子２７の螺子溝に螺合する螺子孔２９を形成した作動プレート２８である。なお、締付固定板２０の所定箇所には前記長螺子２７の螺軸を挿通させるための通孔３０を形成してある。螺子孔２９を具備した作動プレート２８は締付固定板２０の下側に位置し、その両端に形成した切欠段部３１が、ホルダー１０に形成してある竪フレーム３２によって案内されるようになっている。
【００２８】
従って、長螺子２７の頭をドライバーで回転させると、長螺子２７の螺軸は挿通孔１７Ａと１７Ｂによって案内され、当該挿通孔１７Ａ，１７Ｂ内で空転するが、作動プレート２８の螺子孔２９と螺合して、作動プレート２８を上昇させることとなり、当該作動プレート２８によって締付固定板２０がその基端部２２を中心にして押し上げられ、締付固定板２０の先端係合部２６は円を描くようにして上昇し、床パネル１の裏側に緊着する。フロアボックス４は、蓋体６のフランジ部７と、締付固定板２０の先端係合部２６が床パネル１の表裏を掴むこととなり、床パネル１に堅固な状態で固定される。
【実施例】
【００２９】
次に、本発明床パネルに対するフロアボックスの固定方法及び固定装置の実施例を添付図面に基づき説明すれば、先ず、ボックス本体５の上面に固定してある蓋体６のフランジ部７が床パネル１に形成した開口部３の上部周縁に当接するようにしてボックス本体５を開口部３内に落とし込む。
【００３０】
次に、ボックス本体５の対向位置する二つの周壁８，８にそれぞれ形成してある窓孔９，９に、締付固定板２０を保持するためのホルダー１０を取付けるが、この作業は前記したように、ホルダー１０に係合凹部１９を設けてあるので、当該係合凹部１９を窓孔９の下側端面１８に係合することによって容易にセットすることができ、この状態でホルダー１０の上部枠１５に穿設してある通孔２５内に小螺子を挿着して取付突片２４の螺子穴内にねじ付けることによってホルダー１０は窓孔９を塞ぐようにして当該窓孔９に固着される。
【００３１】
前記作業の終了後、ホルダー１０に取付けてある長螺子２７の螺子頭をドライバーによって廻すと、前記したように作動プレート２８が長螺子２７の螺軸を上昇して、締付固定板２０の先端係合部２６を、その基端部２２を中心にして円を描くように上昇させ、締付固定板２０の先端係合部２６は床パネル１に形成した開口部３の下部周縁に緊着して、フロアボックス４は床パネル１に堅固な状態で固定される。
【００３２】
なお、ボックス本体５を床パネル１の開口部３内に落とし込む第一のステップにおいては、ボックス本体５の窓孔９にホルダー１０をあらかじめ取付けておく必要はないので、ボックス本体５は何の障害もなくスムーズに床パネル１の開口部３内に落とし込むことができる。
【００３３】
また、第二のステップにおけるホルダー１０の取付け作業においては、あらかじめホルダー１０に、締付固定板２０、長螺子２７、作動プレート２８を組み付けてからボックス本体５の窓孔９に固定するものである。なお、ホルダー１０の上部枠１５に穿設してある挿通孔１７Ａを貫通した長螺子２７の外周には抜止ワッシャ３３を装着しておくとよい。
【００３４】
配線替え等により床パネル１の開口部３からフロアボックス４を取り外す必要が生じた場合には、蓋体６の内蓋１３を開放し、ドライバーの先端を長螺子２７の頭に刻設してある溝にあてがって逆の方向に回転させると、作動プレート２８が下降し、これに伴って締付固定板２０の先端係合部２６は円を描くようにしてスムーズに下降して、床パネル１との緊着状態が解除されるので、前記した作業とは逆の操作により窓孔９からホルダー１０を外して、ボックス本体５を開口部３から引き抜くことができる。
【００３５】
このように、本発明によれば、汎用のドライバーによって長螺子の頭を回転させれば、長螺子の螺軸が作動プレートの螺子孔内を螺進し、その上面に位置する締付固定板が強制的に押し上げられ、これに伴って締付固定板の先端係合部は、その基端部を中心にして円を描くように上昇して、床パネルに形成した開口部の下部周縁に緊着するものであり、スムーズにフロアボックスを床パネルに固定することができる。また、締付固定板を保持するホルダーは、ボックス本体の周壁に形成してある窓孔に斜行状をなすように取付けてありホルダーの上部枠も斜面状となっており、当該上部枠の表面に位置する長螺子の頭を斜め方向から回転させることができるので狭隘なスペースでも作業を円滑に行うことが可能となる。
【符号の説明】
【００３６】
１：床パネル
２：床下スラブ
３：開口部
４：フロアボックス
５：ボックス本体
６：蓋体
７：フランジ部
８：周壁
９：窓孔
１０：ホルダー
１１：挿通孔
１２：開閉ボタン
１３：内蓋
１４：通線チップ
１５：上部枠
１６：下部突片
１７Ａ：挿通孔
１７Ｂ：挿通孔
１８：端面
１９：係合凹部
２０：締付固定板
２１：長孔
２２：基端部
２３：保持凹部
２４：取付突片
２５：通孔
２６：先端係合部
２７：長螺子
２８：作動プレート
２９：螺子孔
３０：通孔
３１：切欠段部
３２：竪フレーム
３３：抜止ワッシャ
【図１】
2011101476.tif 000003
【図２】
2011101476.tif 000004
【図３】
2011101476.tif 000005
【図４】
2011101476.tif 000006
【図５】
2011101476.tif 000007
【図６】
2011101476.tif 000008
【図７】
2011101476.tif 000009
【図８】
2011101476.tif 000010